(57)【要約】【課題】透明トナーを情報画像内の領域に重ねて印刷するための情報を、情報画像を印刷するための情報に合成するようにした画像処理装置を提供する。【解決手段】画像処理装置の受付手段は、情報画像を印刷するための第１の情報と該情報画像の誤り訂正に関する第２の情報を受け付け、決定手段は、前記受付手段によって受け付けられた第１の情報と第２の情報に基づいて、該情報画像内の領域であって透明トナーを用いて印刷する領域を決定し、合成手段は、前記受付手段によって受け付けられた第１の情報と前記決定手段によって決定された領域に関する情報を合成する。【選択図】図１
2014011705.tif 000002
【特許請求の範囲】
【請求項１】
情報画像を印刷するための第１の情報と該情報画像の誤り訂正に関する第２の情報を受け付ける受付手段と、
前記受付手段によって受け付けられた第１の情報と第２の情報に基づいて、該情報画像内の領域であって透明トナーを用いて印刷する領域を決定する決定手段と、
前記受付手段によって受け付けられた第１の情報と前記決定手段によって決定された領域に関する情報を合成する合成手段
を具備することを特徴とする画像処理装置。
【請求項２】
前記決定手段は、第２の情報に基づいて、透明トナーを用いて印刷する領域の数と該領域の位置を決定する
ことを特徴とする請求項１に記載の画像処理装置。
【請求項３】
前記合成手段によって合成された情報内の第１の情報に基づいて情報画像と、第２の情報に基づいて透明トナーを該情報画像内の領域に重ねて印刷する印刷手段
をさらに具備することを特徴とする請求項１又は２に記載の画像処理装置。
【請求項４】
印刷対象となる情報を受け付ける第２の受付手段と、
情報を印刷するための型であって、前記合成手段によって合成された情報を含む型を抽出する型抽出手段
をさらに具備し、
前記印刷手段は、前記型抽出手段によって抽出された型に、前記第２の受付手段によって受け付けられた情報を埋め込んで印刷する
ことを特徴とする請求項３に記載の画像処理装置。
【請求項５】
コンピュータを、
情報画像を印刷するための第１の情報と該情報画像の誤り訂正に関する第２の情報を受け付ける受付手段と、
前記受付手段によって受け付けられた第１の情報と第２の情報に基づいて、該情報画像内の領域であって透明トナーを用いて印刷する領域を決定する決定手段と、
前記受付手段によって受け付けられた第１の情報と前記決定手段によって決定された領域に関する情報を合成する合成手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、透明トナーによって形成された画像を複写することができることを課題とし、原稿を読み取る読取手段と、読取手段により読み取られた原稿の画像に、透明トナーによって形成される画像の形成位置を示す位置情報が含まれているか否かを判定する判定手段と、判定手段により透明トナー画像によって形成される画像の形成位置を示す位置情報が含まれていると判定された場合に、当該位置情報に基づいて、原稿の画像及び前記透明トナーを用いた画像を形成する画像形成手段とを備えることが開示されている。
【先行技術文献】
【特許文献】
【０００３】
【特許文献１】特開２０１０−２７８９５３号公報
【発明の概要】
【発明が解決しようとする課題】
【０００４】
本発明は、透明トナーを情報画像内の領域に重ねて印刷するための情報を、情報画像を印刷するための情報に合成するようにした画像処理装置及び画像処理プログラムを提供することを目的としている。
【課題を解決するための手段】
【０００５】
かかる目的を達成するための本発明の要旨とするところは、次の各項の発明に存する。
請求項１の発明は、情報画像を印刷するための第１の情報と該情報画像の誤り訂正に関する第２の情報を受け付ける受付手段と、前記受付手段によって受け付けられた第１の情報と第２の情報に基づいて、該情報画像内の領域であって透明トナーを用いて印刷する領域を決定する決定手段と、前記受付手段によって受け付けられた第１の情報と前記決定手段によって決定された領域に関する情報を合成する合成手段を具備することを特徴とする画像処理装置である。
【０００６】
請求項２の発明は、前記決定手段は、第２の情報に基づいて、透明トナーを用いて印刷する領域の数と該領域の位置を決定することを特徴とする請求項１に記載の画像処理装置である。
【０００７】
請求項３の発明は、前記合成手段によって合成された情報内の第１の情報に基づいて情報画像と、第２の情報に基づいて透明トナーを該情報画像内の領域に重ねて印刷する印刷手段をさらに具備することを特徴とする請求項１又は２に記載の画像処理装置である。
【０００８】
請求項４の発明は、印刷対象となる情報を受け付ける第２の受付手段と、情報を印刷するための型であって、前記合成手段によって合成された情報を含む型を抽出する型抽出手段をさらに具備し、前記印刷手段は、前記型抽出手段によって抽出された型に、前記第２の受付手段によって受け付けられた情報を埋め込んで印刷することを特徴とする請求項３に記載の画像処理装置である。
【０００９】
請求項５の発明は、コンピュータを、情報画像を印刷するための第１の情報と該情報画像の誤り訂正に関する第２の情報を受け付ける受付手段と、前記受付手段によって受け付けられた第１の情報と第２の情報に基づいて、該情報画像内の領域であって透明トナーを用いて印刷する領域を決定する決定手段と、前記受付手段によって受け付けられた第１の情報と前記決定手段によって決定された領域に関する情報を合成する合成手段として機能させるための画像処理プログラムである。
【発明の効果】
【００１０】
請求項１の画像処理装置によれば、透明トナーを情報画像内の領域に重ねて印刷するための情報を、情報画像を印刷するための情報に合成することができる。
【００１１】
請求項２の画像処理装置によれば、情報画像の誤り訂正に関する情報に基づいて、透明トナーを用いて印刷する領域の数とその領域の位置を決定することができる。
【００１２】
請求項３の画像処理装置によれば、情報画像が印刷された印刷物に対して、複写処理による偽造を防止することができる印刷を行うことができる。
【００１３】
請求項４の画像処理装置によれば、情報を印刷するための型内に透明トナーを情報画像内の領域に重ねて印刷するための情報を含めることができる。
【００１４】
請求項５の画像処理プログラムによれば、透明トナーを情報画像内の領域に重ねて印刷するための情報を、情報画像を印刷するための情報に合成することができる。
【図面の簡単な説明】
【００１５】
【図１】本実施の形態の構成例についての概念的なモジュール構成図である。
【図２】本実施の形態による処理例を示すフローチャートである。
【図３】本実施の形態による処理例を示すフローチャートである。
【図４】データテーブルのデータ構造例を示す説明図である。
【図５】フォームテーブルのデータ構造例を示す説明図である。
【図６】情報画像データテーブルのデータ構造例を示す説明図である。
【図７】クリアトナーデータテーブルのデータ構造例を示す説明図である。
【図８】ＱＲコード画像の例を示す説明図である。
【図９】透明トナーを重ねて印刷する領域の例を示す説明図である。
【図１０】ＱＲコード内の領域の印刷色について模式的に示す説明図である。
【図１１】ＱＲコード内の領域の透明トナーを含めた印刷色について模式的に示す説明図である。
【図１２】本実施の形態を実現するコンピュータのハードウェア構成例を示すブロック図である。
【発明を実施するための形態】
【００１６】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１７】
本実施の形態である画像処理装置は、情報画像を印刷するものであって、図１の例に示すように、印刷指示装置１１０、フォーム再構成サーバ１５０、プリンタ１８０を有している。なお、印刷指示装置１１０、フォーム再構成サーバ１５０、プリンタ１８０は、通信回線（有線、無線、有線と無線の組み合わせ）を介して接続されていてもよいし、複数の装置の組み合わせ（例えば、フォーム再構成サーバ１５０とプリンタ１８０ａ、印刷指示装置１１０とフォーム再構成サーバ１５０、印刷指示装置１１０とフォーム再構成サーバ１５０とプリンタ１８０ａ等）によって構成されていてもよい。なお、プリンタ１８０ａとプリンタ１８０ｂは同等の構成を有している。また、プリンタ１８０ａは透明トナーによる印刷が可能であるが、図１の例ではプリンタ１８０ｂは透明トナーによる印刷ができないプリンタの例を示している。したがって、以下の説明において、プリンタ１８０ａを用いて説明する。
【００１８】
まず、透明トナー（クリアトナーともいわれる）について説明する。透明トナーとは、透明色のトナー（粉状のインク）であって、画像面の平滑性を向上させて印刷物に光沢感を付与するものである。その透明トナーによって印刷された領域は、人間の目には透明であるが、複写機による複写を行うとその領域が白くなる傾向にある。例えば、白以外の色（例えば、黒色）の文字の上に透明トナーを重ねて印刷すると、人間の目には正常に見えて、その文字が読める状態である。しかし、その印刷物を複写機による複写を行うと、透明トナーが印刷された領域は白くなり、その文字が読みにくい状態になる。
したがって、情報画像上に透明トナーを重ねて印刷した場合、コードリーダはその情報画像を読み取ることができる。なお、情報画像とは、機械可読な態様で電子データを表すために体系的に作られた画像コードをいい、具体的には、１次元バーコード、２次元コード等がある。特に、最近は、２次元コードとして、ＱＲコード（Ｑｕｉｃｋ  Ｒｅｓｐｏｎｓｅ  ｃｏｄｅ：登録商標）が用いられており、本実施の形態においてもこのＱＲコードを例示する。なお、バーコードという場合は、ＱＲコードを含めて用いている。
しかし、いったん複写機による複写が行われた場合は、透明トナーが印刷された領域は、例えば黒い領域であったとしても、コードリーダで読み取ることができない程度に白く書き換えられることになる。したがって、その複写された情報画像をコードリーダによって読み取ると、本来の情報が読み取れないこと(読み取りエラーを含む)になる。つまり、情報画像が破壊された状態になる。
本実施の形態は、情報画像内の領域に対して透明トナーを重ねて印刷することによって、例えば、偽造防止に用いることができる。
【００１９】
印刷指示装置１１０は、データ１１２、印刷指示モジュール１１４、通信モジュール１１６、フォーム作成モジュール１１８、フォーム１２０、バーコード生成コード作成モジュール１２４、通信モジュール１２６を有している。
フォーム１２０は、バーコード生成コード１２２を含んでいる。
フォーム再構成サーバ１５０は、通信モジュール１５２、フォーム再構成モジュール１５４、フォーム１６６、通信モジュール１７０を有している。
フォーム再構成モジュール１５４は、バーコード生成コード抽出モジュール１５６、クリアトナーバーコード生成モジュール１６０、合成モジュール１６４を有している。
フォーム１６６は、バーコード生成コード１２２、クリアトナーバーコード生成コード１６２を含んでいる。
プリンタ１８０ａは、フォーム記憶モジュール１８２ａ、通信モジュール１８４ａ、フォーム管理モジュール１８６ａ、通信モジュール１８８ａ、合成モジュール１９０ａ、印刷モジュール１９２ａを有している。
プリンタ１８０ｂは、フォーム記憶モジュール１８２ｂ、通信モジュール１８４ｂ、フォーム管理モジュール１８６ｂ、通信モジュール１８８ｂ、合成モジュール１９０ｂ、印刷モジュール１９２ｂを有している。
【００２０】
印刷指示モジュール１１４は、通信モジュール１１６と接続されている。印刷指示モジュール１１４は、キーボード、マウス、タッチパネル等に対する操作者の操作によって選択されたデータ１１２に対する印刷指示を受け付ける。印刷対象となる情報であるデータ１１２は、例えば、ハードディスク（コンピュータに内蔵されているものの他に、ネットワークを介して接続されているもの等を含む）等に記憶されているデータベース内のデータを読み出すこと等によって得られる。
データ１１２として、バリアブルデータがある。バリアブルデータとは、バリアブル印刷で利用される可変部分のデータであり、例えば、データ形式としてＣＳＶ（ｃｏｍｍａ  ｓｅｐａｒａｔｅｄ  ｖａｌｕｅ）データである場合が多い。クレジットカード等の請求明細書印刷の場合、住所、電話番号、名前などが含まれる。具体的には、データテーブル４００等がある。
図４は、データテーブル４００のデータ構造例を示す説明図である。データテーブル４００は、ＩＤ欄４１０、氏欄４２０、名欄４３０、住所欄４４０、郵便番号欄４５０等を有している。ＩＤ欄４１０は、その請求明細書の本実施の形態において一意に認識可能な情報（ＩＤ：ＩＤｅｎｔｉｆｉｃａｔｉｏｎ）を記憶している。氏欄４２０は、宛先の氏を記憶している。名欄４３０は、宛先の名を記憶している。住所欄４４０は、宛先の住所を記憶している。郵便番号欄４５０は、宛先の郵便番号を記憶している。
通信モジュール１１６は、印刷指示モジュール１１４、通信モジュール１８８ａ、通信モジュール１８８ｂと接続されている。通信モジュール１１６は、印刷指示モジュール１１４から印刷指示とデータ１１２を受け取り、通信回線を介してプリンタ１８０ａ、又はプリンタ１８０ｂへ送信する。
【００２１】
フォーム作成モジュール１１８は、フォーム１２０と接続されている。フォーム作成モジュール１１８は、情報を印刷するための型（フォーム）であって、フォーム再構成サーバ１５０（特に合成モジュール１６４）によって合成される情報を含むことができるようにフォーム１２０を作成する。例えば、フォームテーブル５００を生成する。図５は、フォームテーブル５００のデータ構造例を示す説明図である。フォームテーブル５００は、描画開始位置欄５１０、描画種類欄５２０、描画データ欄５３０を有している。描画開始位置欄５１０は、描画データの描画開始位置を記憶している。描画開始位置欄５１０は、Ｘ欄５１２、Ｙ欄５１４を有している。Ｘ欄５１２は、描画開始位置の用紙内のＸ座標を記憶している。Ｙ欄５１４は、描画開始位置の用紙内のＹ座標を記憶している。描画種類欄５２０は、文字、図形、画像、ＱＲコード等の描画種類を記憶している。描画データ欄５３０は、その描画開始位置に描画すべき描画データを記憶している。描画データとして、例えば、データテーブル４００内のデータの指定、ＱＲコードの指定等がある。ＱＲコードの指定のデータとしては、例えば、後述する情報画像データテーブル６００がある。
【００２２】
フォーム１２０は、フォーム作成モジュール１１８によって生成され、バーコード生成コード作成モジュール１２４によって作成されたバーコード生成コード１２２を含み、通信モジュール１２６によってプリンタ１８０ａ又はプリンタ１８０ｂに送信される。フォーム１２０は、バリアブル印刷で利用されるバックグランドのテンプレートであり、プリンタ１８０ａ又はプリンタ１８０ｂ上で例えばバリアブルデータであるデータ１１２と合成され、印刷される。
【００２３】
バーコード生成コード作成モジュール１２４は、ＱＲコードの画像を生成するためのバーコード生成コード１２２を作成し、フォーム１２０内に埋め込む。作成するバーコード生成コード１２２として、例えば、情報画像データテーブル６００がある。図６は、情報画像データテーブル６００のデータ構造例を示す説明図である。情報画像データテーブル６００は、サイズ欄６１０、回転角度欄６２０、描画位置欄６３０、誤り訂正レベル欄６４０を有している。サイズ欄６１０は、そのＱＲコードの大きさ（ＱＲコードを構成している領域の大きさ（モジュールサイズ）であってもよい）を記憶している。回転角度欄６２０は、描画するＱＲコードの回転角度（０度、９０度、１８０度、２７０度等）を記憶している。描画位置欄６３０は、ＱＲコードを描画する用紙内のＸ座標、Ｙ座標を記憶している。誤り訂正レベル欄６４０は、ＱＲコードの誤り訂正レベルを記憶している。ここで、誤り訂正レベルとは、ＱＲコードの誤り訂正能力（全コードワード（データを構成する単位で、ＱＲコードでは１コードワードあたり８ビット）に対する復元率）をいい、具体的には、（１）レベルＬ  ：  約７％、（２）レベルＭ  ：  約１５％、（３）レベルＱ  ：  約２５％、（４）レベルＨ  ：  約３０％等がある。なお、後述するクリアトナーデータテーブル７００と同等のデータ構造を用いてＱＲコード画像内の黒領域の描画位置を表現してもよい。
つまり、情報画像データテーブル６００内には、ＱＲコードを印刷するための第１の情報（サイズ欄６１０、回転角度欄６２０、描画位置欄６３０）とそのＱＲコードの誤り訂正に関する第２の情報（誤り訂正レベル欄６４０）が含まれている。
図８は、ＱＲコード画像８００の例を示す説明図である。バーコード生成コード作成モジュール１２４によって作成されたバーコード生成コード１２２に基づいて、ＱＲコード画像８００を印刷した例である。
【００２４】
通信モジュール１２６は、フォーム再構成サーバ１５０内の通信モジュール１５２、プリンタ１８０ｂ内の通信モジュール１８４ｂと接続されている。通信モジュール１２６は、フォーム１２０を、通信回線を介して通信モジュール１５２、又は通信モジュール１８４ｂへ送信する。なお、透明トナーによる印刷を行う場合は通信モジュール１５２へ送信し、透明トナーによる印刷を行わない場合は通信モジュール１８４ｂへ送信する。
【００２５】
通信モジュール１５２は、通信モジュール１２６、バーコード生成コード抽出モジュール１５６と接続されている。通信モジュール１５２は、印刷指示装置１１０の通信モジュール１２６からフォーム１２０を、通信回線を介して受け取り、フォーム再構成モジュール１５４へ渡す。
フォーム再構成モジュール１５４は、フォーム１２０からバーコード生成コード１２２を抽出し、クリアトナーバーコード生成コード１６２を作成して、フォーム１２０内に埋め込む。
【００２６】
バーコード生成コード抽出モジュール１５６は、通信モジュール１５２、クリアトナーバーコード生成モジュール１６０、合成モジュール１６４と接続されている。バーコード生成コード抽出モジュール１５６は、フォーム１２０を解析し、フォーム１２０内からバーコード生成コード１２２を抽出し、クリアトナーバーコード生成モジュール１６０へ渡す。また、フォーム１２０を合成モジュール１６４へ渡す。
クリアトナーバーコード生成モジュール１６０は、バーコード生成コード抽出モジュール１５６、合成モジュール１６４と接続されている。クリアトナーバーコード生成モジュール１６０は、バーコード生成コード抽出モジュール１５６からバーコード生成コード１２２を受け取る。バーコード生成コード１２２は具体的には前述したように情報画像データテーブル６００があり、ＱＲコードを印刷するための第１の情報とそのＱＲコードの誤り訂正に関する第２の情報が含まれている。その第１の情報と第２の情報に基づいて、ＱＲコードの画像内の領域であって透明トナーを用いて印刷する領域を決定する。透明トナーを用いて印刷する領域を示す情報は、クリアトナーバーコード生成コード１６２である。なお、透明トナーを重ねて印刷する領域は、ＱＲコードの画像内の黒領域を少なくとも含むものである。
【００２７】
また、クリアトナーバーコード生成モジュール１６０は、第２の情報に基づいて、透明トナーを用いて印刷する領域の数とその領域の位置を決定するようにしてもよい。
透明トナーを用いて印刷する領域の数としては、例えば、ＱＲコードの画像内の黒領域の数、誤り訂正レベルを用いて決定する。より具体的には、次に示すような式を用いて算出してもよい。
（黒領域の数）＝（ＱＲコードの画像内の黒領域の数）×（誤り訂正レベル）×（係数）
なお、係数は１以上の値（例えば、１．１等）であり、係数はなくてもよい（係数＝１としてもよい）。そして、係数は、透明トナーを用いて印刷される領域の数を多くしたい場合には大きな値とし、透明トナーを用いて印刷される領域の数を少なくしたい場合には小さな値として、調整する。複写が行われた場合に、確実にＱＲコードを破壊したい場合には、透明トナーを用いて印刷される領域の数を多くし、ＱＲコードを複写した場合にそのＱＲコードの破壊が分からないようにしたい場合（偽造者に気付かせたくない場合）には、透明トナーを用いて印刷される領域の数を少なくする。
なお、本来の黒領域の数に対して透明トナーを用いて印刷する領域の数の割合が、予め定められた閾値よりも大（又は以上）となる場合は、「ＱＲコードの破壊が分かりやすくなってしまっていること」を示すアラームを表示装置に表示し、係数を変更するように促すようにしてもよい。
【００２８】
透明トナーを用いて印刷する領域の位置としては、例えば、ＱＲコードの画像内の黒領域の位置からランダム（疑似ランダムを含む）に選択するようにしてもよいし、ＱＲコードの画像内の黒領域の予め定められた順番（例えば、左上から右方向へ順番付けを行い、右端からは次の下の行にある左端に移り同様に順番付けを行い右下まで繰り返す）において、前述した領域の数毎に選択するようにしてもよい。
【００２９】
クリアトナーバーコード生成モジュール１６０は、透明トナーを用いて印刷する領域を示すデータ（クリアトナーバーコード生成コード１６２）として、例えば、クリアトナーデータテーブル７００を生成する。図７は、クリアトナーデータテーブル７００のデータ構造例を示す説明図である。クリアトナーデータテーブル７００は、描画位置欄７１０、サイズ欄７２０を有している。描画位置欄７１０は、透明トナーを用いて印刷する領域の描画位置を記憶している。描画位置欄７１０は、Ｘ欄７１２、Ｙ欄７１４を有している。Ｘ欄７１２は、その領域の左上のＸ座標を記憶している。Ｙ欄７１４は、その領域の左上のＹ座標を記憶している。サイズ欄７２０は、透明トナーを用いて印刷する領域の大きさを記憶している。サイズ欄７２０は、Ｗ欄７２２、Ｈ欄７２４を有している。Ｗ欄７２２は、その領域の幅を記憶している。Ｈ欄７２４は、その領域の高さを記憶している。そして、領域の数だけ、このデータ群が記憶されている。
【００３０】
図９は、透明トナーを重ねて印刷する領域の例を示す説明図である。クリアトナーバーコード生成モジュール１６０によって作成されたクリアトナーバーコード生成コード１６２に基づいて、ＱＲコード描画領域９００内で透明トナーを印刷する。なお、黒色の領域（矩形）が透明トナーを用いて印刷する領域である。なお、この領域は、図８の例で示したＱＲコード画像８００内の黒領域の１つずつに対応する。
【００３１】
次に、図１０、図１１を用いて、クリアトナーバーコード生成モジュール１６０によって、バーコード生成コード１２２からクリアトナーバーコード生成コード１６２を生成する処理について説明する。
図１０は、ＱＲコード内の領域の印刷色について模式的に示す説明図である。図１０の例は、ＱＲコード画像の黒領域と白領域とを模式的に示しており、「１」は黒く印刷する矩形であることを示し、「０」は白い矩形であることを示し、「−」は検出パターン部であることを示している。
ここで、図１０の例に示したＱＲコード画像内の黒領域の数は１４２個である。そして、この場合の誤り訂正レベルが例えば１０％であるとすると、前述の式を適用して、透明トナーを重ねて印刷する領域の数を算出する。
１４２（黒領域の数）×０．１（誤り訂正レベル）×１．１（係数）＝１６
したがって、この例では、透明トナーを重ねて印刷する領域の数は、１６個となる。
そして、１６個の均等に散らばらせるために、次の式によって透明トナーを重ねて印刷する領域の位置を算出する。
１４２（黒領域の数）÷１６（透明トナーを重ねて印刷する領域の数）＝９
つまり、黒領域において９個毎に、透明トナーを重ねて印刷する領域として選択する。
図１１は、ＱＲコード内の領域の透明トナーを含めた印刷色について模式的に示す説明図である。図１０の例に示したＱＲコードに対する処理結果である。「２」はクリアトナーで描画する領域であることを示している。この「２」で表されている領域の位置をクリアトナーデータテーブル７００のデータ構造で表現する。
【００３２】
合成モジュール１６４は、バーコード生成コード抽出モジュール１５６、クリアトナーバーコード生成モジュール１６０、フォーム１６６と接続されている。合成モジュール１６４は、バーコード生成コード抽出モジュール１５６から受け取ったフォーム１２０とクリアトナーバーコード生成モジュール１６０から受け取ったクリアトナーバーコード生成コード１６２を合成して、フォーム１６６を作成する。したがって、フォーム１６６内には、フォーム１６６自身のデータとともにバーコード生成コード１２２とクリアトナーバーコード生成コード１６２が含まれることになる。
通信モジュール１７０は、通信モジュール１８４ａと接続されている。通信モジュール１７０は、フォーム１６６を、通信回線を介して通信モジュール１８４ａへ送信する。
【００３３】
通信モジュール１８４ａは、通信モジュール１７０、フォーム管理モジュール１８６ａと接続されている。通信モジュール１８４ａは、フォーム再構成サーバ１５０内の通信モジュール１７０からフォーム１６６を、通信回線を介して受け取り、フォーム管理モジュール１８６ａに渡す。
フォーム管理モジュール１８６ａは、フォーム記憶モジュール１８２ａ、通信モジュール１８４ａ、合成モジュール１９０ａと接続されている。フォーム管理モジュール１８６ａは、通信モジュール１８４ａから受け取ったフォーム１６６をフォーム記憶モジュール１８２ａに記憶させる。そして、印刷モジュール１９２からの指示に基づいて、データ１１２を印刷するためのフォームであって、フォーム記憶モジュール１８２ａ内からフォーム再構成サーバ１５０内の合成モジュール１６４によって合成された情報を含むフォーム１６６を抽出し、合成モジュール１９０ａに渡す。
フォーム記憶モジュール１８２ａは、フォーム管理モジュール１８６ａと接続されている。フォーム記憶モジュール１８２ａは、フォーム１６６等を記憶している。また、印刷指示装置１１０の通信モジュール１２６から送信されてきたフォーム１２０等も記憶されている場合もある。
【００３４】
通信モジュール１８８ａは、通信モジュール１１６、合成モジュール１９０ａと接続されている。通信モジュール１８８ａは、印刷指示装置１１０の通信モジュール１１６から印刷指示と印刷対象となる情報であるデータ１１２を、通信回線を介して受け取り、合成モジュール１９０ａに渡す。
合成モジュール１９０ａは、フォーム管理モジュール１８６ａ、通信モジュール１８８ａ、印刷モジュール１９２ａと接続されている。合成モジュール１９０ａは、フォーム管理モジュール１８６ａによって抽出されたフォーム１６６に、通信モジュール１８８ａによって受け付けられた情報であるデータ１１２を埋め込む合成を行う。
印刷モジュール１９２ａは、合成モジュール１９０ａと接続されている。印刷モジュール１９２ａは、合成モジュール１９０ａによってフォーム１６６にデータ１１２が埋め込まれたものを印刷する。例えば、クレジットカードの請求明細書等である。具体的には、フォーム１６６内のバーコード生成コード１２２にしたがってＱＲコードの画像と、フォーム１６６内のクリアトナーバーコード生成コード１６２にしたがって透明トナーをそのＱＲコードの画像内の領域に重ねて印刷する。具体的には、ＱＲコードの画像の黒領域を表すために黒トナーを用い、その上にクリアトナーバーコード生成コード１６２にしたがって透明トナーを重ねるように印刷する。
【００３５】
図２は、本実施の形態による処理例を示すフローチャートである。
ステップＳ２０２では、フォーム作成モジュール１１８が、フォーム１２０を作成する。
ステップＳ２０４では、バーコード生成コード作成モジュール１２４が、バーコード生成コード１２２を作成する。
ステップＳ２０６では、バーコード生成コード作成モジュール１２４が、バーコード生成コード１２２をフォーム１２０に埋め込む。
ステップＳ２０８では、通信モジュール１２６が、フォーム１２０をフォーム再構成サーバ１５０に送信する。
ステップＳ２１０では、通信モジュール１５２が、印刷指示装置１１０からフォーム１２０を受信する。
ステップＳ２１２では、バーコード生成コード抽出モジュール１５６が、フォーム１２０からバーコード生成コード１２２を抽出する。
【００３６】
ステップＳ２１４では、クリアトナーバーコード生成モジュール１６０が、バーコード生成コード１２２からクリアトナーバーコード生成コード１６２を作成する。
ステップＳ２１６では、合成モジュール１６４が、フォーム１２０にクリアトナーバーコード生成コード１６２を埋め込んだフォーム１６６を作成する。
ステップＳ２１８では、通信モジュール１７０が、フォーム１６６をプリンタ１８０ａに送信する。
ステップＳ２２０では、通信モジュール１８４ａが、フォーム再構成サーバ１５０からフォーム１６６を受信する。
ステップＳ２２２では、フォーム管理モジュール１８６ａが、フォーム１６６をフォーム記憶モジュール１８２ａに登録する。
【００３７】
図３は、本実施の形態による処理例を示すフローチャートである。
ステップＳ３０２では、印刷指示モジュール１１４が、印刷対象のデータ１１２を指定する。
ステップＳ３０４では、印刷指示モジュール１１４が、プリンタ１８０ａに対して、データ１１２の印刷指示を行う。
ステップＳ３０６では、通信モジュール１１６が、印刷指示とデータ１１２をプリンタ１８０ａに送信する。
ステップＳ３０８では、通信モジュール１８８ａが、印刷指示装置１１０から印刷指示とデータ１１２を受信する。
ステップＳ３１０では、フォーム管理モジュール１８６ａが、指定されたフォームをフォーム記憶モジュール１８２ａから抽出する。
ステップＳ３１２では、合成モジュール１９０ａが、データ１１２とフォームを合成する。
ステップＳ３１４では、印刷モジュール１９２ａが、透明トナーを重ねた印刷を行う。前述の図１１の例では、「２」の領域に透明トナーを重ねて印刷することになる。その印刷物では、ＱＲコードはコードリーダによって読み取ることができる。しかし、複写機による複写が行われた複写物において、「２」の領域は白くなりＱＲコードは破壊されていることになる。
【００３８】
図１２を参照して、本実施の形態の画像処理装置（印刷指示装置１１０、フォーム再構成サーバ１５０、プリンタ１８０のいずれか一つ又はこれらの組み合わせ）のハードウェア構成例について説明する。図１２に示す構成は、例えばパーソナルコンピュータ（ＰＣ）などによって構成されるものであり、スキャナ等のデータ読み取り部１２１７と、プリンタなどのデータ出力部１２１８を備えたハードウェア構成例を示している。
【００３９】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、印刷指示モジュール１１４、フォーム作成モジュール１１８、バーコード生成コード作成モジュール１２４、フォーム再構成モジュール１５４、バーコード生成コード抽出モジュール１５６、クリアトナーバーコード生成モジュール１６０、合成モジュール１６４、フォーム管理モジュール１８６、合成モジュール１９０等の各モジュールの実行シーケンスを記述したコンピュータ・プログラムにしたがった処理を実行する制御部である。
【００４０】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバスなどから構成されるホストバス１２０４により相互に接続されている。
【００４１】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１２０６に接続されている。
【００４２】
キーボード１２０８、マウス等のポインティングデバイス１２０９は、操作者により操作される入力デバイスである。ディスプレイ１２１０は、液晶表示装置又はＣＲＴ（Ｃａｔｈｏｄｅ  Ｒａｙ  Ｔｕｂｅ）などがあり、各種情報をテキストやイメージ情報として表示する。
【００４３】
ＨＤＤ（Ｈａｒｄ  Ｄｉｓｋ  Ｄｒｉｖｅ）１２１１は、ハードディスクを内蔵し、ハードディスクを駆動し、ＣＰＵ１２０１によって実行するプログラムや情報を記録又は再生させる。ハードディスクには、データ１１２、フォーム１２０、バーコード生成コード１２２、クリアトナーバーコード生成コード１６２、フォーム１６６などが格納される。さらに、その他の各種のデータ処理プログラム等、各種コンピュータ・プログラムが格納される。
【００４４】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。リムーバブル記録媒体１２１３も、ハードディスクと同様のデータ記録領域として利用可能である。
【００４５】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００４６】
なお、図１２に示す画像処理装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１２に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００４７】
前述の実施の形態においては、情報画像の例としてＱＲコードを示したが、他の情報画像を対象としてもよい。
なお、数式を用いて説明したが、数式には、その数式と同等のものが含まれる。同等のものとは、その数式そのものの他に、最終的な結果に影響を及ぼさない程度の数式の変形、又は数式をアルゴリズミックな解法で解くこと等が含まれる。
また、前述の説明では、「複写機による複写」としたが、もちろんのことながら、複合機による複写、スキャナで読み込んだ後にプリンタで印刷したものであっても同等である。
【００４８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００４９】
１１０…印刷指示装置
１１２…データ
１１４…印刷指示モジュール
１１６…通信モジュール
１１８…フォーム作成モジュール
１２０…フォーム
１２２…バーコード生成コード
１２４…バーコード生成コード作成モジュール
１２６…通信モジュール
１５０…フォーム再構成サーバ
１５２…通信モジュール
１５４…フォーム再構成モジュール
１５６…バーコード生成コード抽出モジュール
１６０…クリアトナーバーコード生成モジュール
１６２…クリアトナーバーコード生成コード
１６４…合成モジュール
１６６…フォーム
１７０…通信モジュール
１８０…プリンタ
１８２…フォーム記憶モジュール
１８４…通信モジュール
１８６…フォーム管理モジュール
１８８…通信モジュール
１９０…合成モジュール
１９２…印刷モジュール
【図１】
2014011705.tif 000003
【図２】
2014011705.tif 000004
【図３】
2014011705.tif 000005
【図４】
2014011705.tif 000006
【図５】
2014011705.tif 000007
【図６】
2014011705.tif 000008
【図７】
2014011705.tif 000009
【図８】
2014011705.tif 000010
【図９】
2014011705.tif 000011
【図１０】
2014011705.tif 000012
【図１１】
2014011705.tif 000013
【図１２】
2014011705.tif 000014